(57)【要約】【課題】幼児などが誤って、開き戸が開いた状態で、指を挟み込むのを防止する開き戸の指詰め防止板を提供する。【解決手段】  蝶番を介して、ドア枠体に開閉自在に設けられた開き戸であって、前記ドア枠体と前記開き戸との間に、折畳み自在の本体を有する指詰め防止板を配設しているので、幼児などが蝶番を見て、謝って指を挿入することを防止することができる。また、前記指詰め防止板は、その本体の一端部がドア枠体に着脱自在に取り付けられると共に、その他端部が開き戸に着脱自在に取り付けられているので、幼児がいる場合には指詰め防止板をドア枠体と開き戸との間に取り付けておき、その幼児が成長したときには指詰め防止板を取り外しすることができる。【選択図】図１
2009287270.tif 000002
【特許請求の範囲】
【請求項１】
ドア枠体と、ドア枠体に蝶番を介して枢支した開き戸とにおいて、
ドア枠体端面と開き戸端面との間の開閉部分を被覆するように、ドア枠体端面に一側端縁を、開き戸の前端面に他側端縁を、それぞれ接着自在とした指詰め防止板を架設し、
しかも、指詰め防止板はその中途部を前方に向かって折曲自在とした硬板としてなることを特徴とする指詰め防止板。
【請求項２】
前記指詰め防止板は、前記開き戸の開閉と共に開閉自在としたことを特徴とする請求項１に記載の開き戸の指詰め防止板。
【発明の詳細な説明】
【技術分野】
【０００１】
この発明はドア枠体に蝶番を介して枢支した開き戸に関する。
【背景技術】
【０００２】
一般的に、部屋間に配置されている開き戸は、蝶番を介してドア取付部となるドア枠体に取り付けられている。蝶番は、金属板を折り曲げ加工により形成された２枚羽根構造を有するものである。その２枚羽根の一片をドア枠体の溝部にビス止めで連結すると共に、他片を開き戸の側端部にビス止めで連結している。このようにして、開き戸は、ドア枠体に対して開閉自在に設けられている（例えば、特許文献１に記載）。
【特許文献１】特開２００５−３６５２９号公報
【発明の開示】
【発明が解決しようとする課題】
【０００３】
ところが、開き戸が開いた状態では、幼児などは、往々にして大きく開いた蝶番部（開口部）に指を挟み込むことがある。そして、これに気付かないで、開き戸を閉じてしまうと、幼児などの指の骨を砕くなどの問題が生じるおそれがある。
【０００４】
この発明は、前記問題を解決するためになされたもので、開き戸が開いた状態において、幼児などが誤って指を挟み込むのを防止する指詰め防止板を提供することを目的とする。
また、この発明は、低コストで、簡単に製造することができ、しかも、取り外し自在である指詰め防止板を提供することを目的とする。
【課題を解決するための手段】
【０００５】
（１）本発明では、蝶番を介して、ドア枠体と、ドア枠体に蝶番を介して枢支した開き戸において、ドア枠体端面と開き戸端面との間の開閉部分を被覆するように、ドア枠体端面に一側端縁を、開き戸の前端面に他側端縁を、それぞれ接着自在とした指詰め防止板を架設し、しかも、指詰め防止板は中途部を前方に向かって折曲自在とした硬板としてなることを特徴とする。
【０００６】
（２）本発明では、前記（１）において、前記指詰め防止板は、前記開き戸の開閉と共に開閉自在としたことを特徴とする。
【発明の効果】
【０００７】
（１）請求項１に記載の発明によれば、ドア枠体と、ドア枠体に蝶番を介して枢支した開き戸において、ドア枠体端面と開き戸端面との間の開閉部分を被覆するように、ドア枠体端面に一側端縁を、開き戸の前端面に他側端縁を、それぞれ接着自在とした指詰め防止板を架設し、しかも、指詰め防止板は中途部を前方に向かって折曲自在とした硬板としてなることを特徴とする。このようにして、折り畳み自在の指詰め防止板の本体が開いた状態で、ドア枠体と開き戸との間の開閉部分を被覆するので、幼児などがその開閉部分に指を挿入することが無い。
【０００８】
また、前記指詰め防止板は、その一側端縁がドア枠体に着脱自在に取り付けられると共に、その他側端縁が開き戸に着脱自在に取り付けられているので、幼児がいる場合には指詰め防止板をドア枠体と開き戸との間の開閉部分に取り付けておき、その幼児が成長したときには指詰め防止板を取り外しすることができる。
【０００９】
（２）請求項２に記載の発明によれば、指詰め防止板は、前記開き戸の開閉とともに開閉自在としている。すなわち、開き戸が閉じた状態では本体は２つ折りに閉じた状態であり、開き戸が開いた状態では、その開き戸の開く角度に応じて本体が開く角度が増す。
【発明を実施するための最良の形態】
【００１０】
以下、本願発明の実施の形態について、図面を参照しながらより具体的に説明する。
図１は本実施形態における指詰め防止板がドア枠体と開き戸との間に設置された状態を示す斜視図、図２は本実施形態における開き戸を開けた時での指詰め防止板の取り付け状態を示す平面図、図３は本実施形態における開き戸を閉めた時での指詰め防止板の取り付け状態を示す平面図、図４は本実施形態におけるリバーシブル可能な指詰め防止板の取り付け状態を示す断面図である。
【００１１】
図１に示すように、本実施形態における開き戸ユニットＡは、蝶番１３を介して、ドア枠体１１に開閉自在に設けられた開き戸１２により構成されている。
【００１２】
ドア枠体１１は、開き戸１２が設置される部屋と部屋との間に配設される木製または金属製の枠体である。ドア枠体１１の内側面部には凸部１４をその枠内に有している。そして、ドア枠体１１の内側面部に開き戸１２が開閉自在に配設されている。
【００１３】
開き戸１２は、その本体２１が１枚の平板で構成されている。そして、開き戸１２は、後述する蝶番１３を介して、ドア枠体１１に取り付けられる。
【００１４】
蝶番１３は、金属板を折り曲げ加工により形成された２枚羽根構造を有するものである。その２枚羽根の一片をドア枠体１１の内側面部にビス止めで連結すると共に、他片を開き戸１２の表面部にビス止めで連結している。このようにして、開き戸１２は、蝶番１３を介してドア枠体１１に開閉自在に設けられる。
【００１５】
なお、本実施形態における指詰め防止板１０は、片開き戸１２、または両開き戸１２にも適用することができる。また、本実施形態における指詰め防止板１０は、内開きの開き戸１２にも、外開きの開き戸１２にも適用することができる。
【００１６】
そのような構成において、本実施形態における開き戸ユニットＡは、上記したドア枠体１１と開き戸１２との間の開閉部分に、その中途部を前方（開き戸１２の回動方向）に向かって折曲自在とした硬板の指詰め防止板１０を配設したことである。図１に示すように、指詰め防止板１０は、例えば硬質プラスチック製のもので、その本体２１が２つ折りに折り畳み自在な形状を有している。２つ折りに折曲自在とする本体２１は、左片および右片とも略同じ大きさを有している。
【００１７】
また、本体２１の一側端縁にはドア枠体１１に取り付けるドア枠体側取付片２２を設け、本体２１の他側端縁には開き戸１２に取り付ける開き戸側取付片２３を設けている。ドア枠体側取付片２２は、第１折曲部２４を介して、本体２１に対して屈曲自在に設けている。また、開き戸側取付片２３は、第２折曲部２５を介して、本体２１に対して屈曲自在に設けている。
【００１８】
このようにして、ドア枠体側取付片２２をドア枠体１１の内側面部に取り付けたり、またはドア枠体１１の内側面部に設けられた凸部１４の上端部に取り付けたりすることができる。また、開き戸側取付片２３を、開き戸１２の表面または開き戸１２の側面部に取り付けることができる。
【００１９】
そして、取付手段を用いて、前記ドア枠体側取付片２２をドア枠体１１に取り付けると共に、前記開き戸側取付片２３を開き戸１２の表面部に取り付けている。取付手段は、例えば、両面テープ、面ファスナーなどである。取付手段として、両面テープなどを使用することにより、ドア枠体１１または開き戸１２に対して指詰め防止板１０を着脱自在に取り付けることができる。
【００２０】
具体的には、両面テープを、裏面側フィルムを剥がして、ドア枠体１１の内側面部に貼り付け、貼り付けた両面テープの表面側に、ドア枠体側取付片２２を貼り付けて指詰め防止板１０を取り付ける。また、両面テープを、その裏面側フィルムを剥がして、開き戸１２の表面部に貼り付け、その後、両面テープの表面側フィルムを剥がして、両面テープの表面側に指詰め防止板１０の他片側を取り付ける。
【００２１】
そして、幼児など成長したときには、指詰め防止板１０を取り外しした後、ドア枠体側の両面テープと開き戸側の両面テープとを剥がして、通常の開き戸ユニットＡの状態に戻す。このようにして、子供の成長に応じて、指詰め防止板１０を取り付けたり、取り外したりすることができる。
【００２２】
次に、開き戸ユニットＡに指詰め防止板１０の使用方法について図２および図３を参照して説明する。本願発明における指詰め防止板１０は、その本体２１の一側端縁がドア枠体１１の凸部１４の上端部に着脱自在に取り付けられると共に、その他側端縁が開き戸１２に着脱自在に取り付けられる。図２に示すように、開き戸１２が開いた状態では、２つ折りした本体２１は左右側に開いた状態となる。開き戸１２がより開いた状態では、その本体２１はより角度を開けた状態で開くこととなる。
【００２３】
これにより、蝶番１３が開いてドア枠体１１と開き戸１２との間の開閉部分に間隙を有していても、指詰め防止板１０の本体２１によりカバーされることとなり、幼児などが蝶番１３を見て、開き戸１２とドア枠体１１との間に謝って指を挿入するのを防止することができる。
【００２４】
この後、開き戸１２を閉じた状態では、図３に示すように、その本体２１も閉じた状態となる。なお、図３に示すように、開き戸１２を閉じた状態で、本体２１も閉じた状態とするには、ドア枠体側取付片２２を開き戸側取付片２３に近接する必要がある。このようにして、開き戸１２の開閉とともに、本体２１を開閉自在としているので、開き戸１２が開いた状態では本体２１が開くことにより指詰め防止板１０として機能し、開き戸１２が閉じた状態では本体２１が折り畳まれた状態となる。
【００２５】
また、指詰め防止板１０は、その本体２１の一側端縁がドア枠体１１に着脱自在に取り付け可能であると共に、その他側端縁が開き戸１２に着脱自在に取り付け可能に設けている。このようにして、幼児がいる場合には指詰め防止板１０をドア枠体１１と開き戸１２との間に取り付けておき、その幼児が成長したときには指詰め防止板１０を取り外しすることができる。
【００２６】
さらに、本実施形態における指詰め防止板１０は、その本体２１をリバーシブルにして使用することができる。すなわち、図４（ａ）に示すように、表面が前方に位置するように、その中途部で前方に折り曲げ自在としていたのを、図４（ｂ）に示すように、後方に折り返して裏面が前方に位置するようにして、指詰め防止板１０を開き戸１２とドア枠体１１との間に設けることができる。すなわち、図４（ｂ）に示すように、指詰め防止板１０は、断面視して略三角形を有するようにしてもよい
【００２７】
なお、ドア枠体側取付片２２および開き戸側取付片２３は折り返す前の接着面としてもいい。さらに、図４（ｃ）に示すように、本体２１に対してドア枠体側取付片２２および開き戸側取付片２３を折り返して、図４（ａ）に示すような同じ形状にして、ドア枠体側取付片２２および開き戸側取付片２３の裏面側を接着面としてもよい。
【００２８】
さらに、本実施形態における指詰め防止板１０は、折曲自在とする本体２１の表面に、指の挿入を防止するための注意書きを設けることができる。このようにして、開き戸１２を開き、２つに折り曲げられた指詰め防止板１０の本体２１がドア枠体１１端面と開き戸１２端面との間で開くことによって、前記本体２１の表面に記載された注意書きが浮出すこととなる。これにより、注意書きを見て、ドア枠体１１端面と開き戸１２端面との開閉部分に指を挿入するのを防止することができる。
【００２９】
以上のようにして、低コストで、簡単に製造でき、また取り外し自在である指詰め防止板１０を実現することができる。
【図面の簡単な説明】
【００３０】
【図１】本実施形態における指詰め防止板がドア枠体と開き戸との間に設置された状態を示す斜視図である。
【図２】本実施形態における開き戸を開けた時での指詰め防止板の取り付け状態を示す平面図である。
【図３】本実施形態における開き戸を閉めた時での指詰め防止板の取り付け状態を示す平面図である。
【図４】本実施形態におけるリバーシブル可能な指詰め防止板の取り付け状態を示す断面図である。（ａ）は、本体の表側を取り付けた状態を示す断面図、（ｂ）は本体の裏側を取り付けた状態を示す断面図、（ｃ）は本体の裏側を取り付けた状態で、さらに一片側および他片側を折り返した状態を示す断面図である。
【符号の説明】
【００３１】
１０  指詰め防止板
１１  ドア枠体
１２  開き戸
１３  蝶番
【図１】
2009287270.tif 000003
【図２】
2009287270.tif 000004
【図３】
2009287270.tif 000005
【図４】
2009287270.tif 000006